(57)【要約】【課題】高い清涼感を得ることのできる格子構造を提供する。【解決手段】本発明は、住宅の開口部に設置される格子構造である。この格子構造は、格子本体２と制御ユニット４を備える。格子本体２は、互いに平行に配置される複数の仕切板８と、隣接する仕切板８の間に形成される通風空間と、少なくとも一つの仕切板８の表面に形成される溝状の液体保持部とを備える。制御ユニット４は、この液体保持部にまで水を供給する。液体保持部が通風空間に露出することで、水の蒸発によって高い清涼感が実現される。【選択図】図１
2014134041.tif 000002
【特許請求の範囲】
【請求項１】
住宅の開口部に設置される格子構造であって、
互いに平行に配置される複数の仕切板と、
隣接する前記仕切板の間に形成される通風空間と、
少なくとも一つの前記仕切板の表面に形成される液体保持部と、
前記液体保持部にまで液体を供給する液供給機構とを具備し、
前記液体保持部を、前記通風空間に露出させるように設けたことを特徴とする格子構造。
【請求項２】
前記仕切板を開閉動作させる開閉機構を具備し、
前記仕切板が開位置にあるときに、前記液体保持部をこれの上方にある前記通風空間に対して露出させるように設けたことを特徴とする請求項１に記載の格子構造。
【請求項３】
前記液供給機構は、害虫忌避剤が添加された液体を前記液体保持部にまで供給するものであることを特徴とする請求項１又は２に記載の格子構造。
【発明の詳細な説明】
【技術分野】
【０００１】
本発明は、住宅の開口部に設置される格子構造に関する。
【背景技術】
【０００２】
従来、住宅において風通しを得るために、格子構造が用いられる。格子構造は、住宅の開口部に設置されるものであり、複数の仕切板を平行に配置した構造を有する（例えば特許文献１参照）。
【先行技術文献】
【特許文献】
【０００３】
【特許文献１】特開平７−２９３１３９号公報
【発明の概要】
【発明が解決しようとする課題】
【０００４】
従来の格子構造は、外気をそのまま屋内に取り込むものである。そのため、夏場のように外気が高温である場合には、清涼感が得られにくいという問題がある。
【０００５】
本発明は、前記問題点に鑑みて発明したものであり、夏場であっても高い清涼感を得ることのできる格子構造を提供することを、課題とする。
【課題を解決するための手段】
【０００６】
前記課題を解決するために、本発明を、下記構成を具備する格子構造とする。
【０００７】
つまり、本発明は、住宅の開口部に設置される格子構造であって、互いに平行に配置される複数の仕切板と、隣接する前記仕切板の間に形成される通風空間と、少なくとも一つの前記仕切板の表面に形成される液体保持部と、前記液体保持部にまで液体を供給する液供給機構とを具備し、前記液体保持部を、前記通風空間に露出させるように設けたことを特徴とする。
【０００８】
本発明においては、前記仕切板を開閉動作させる開閉機構を具備し、前記仕切板が開位置にあるときに、前記液体保持部をこれの上方にある前記通風空間に対して露出させるように設けることが好ましい。
【０００９】
また、本発明において、前記液供給機構は、害虫忌避剤が添加された液体を前記液体保持部にまで供給するものであることが好ましい。
【発明の効果】
【００１０】
本発明は、格子構造を通じて取り込んだ風によって、高い清涼感を得ることができるという効果を奏する。
【図面の簡単な説明】
【００１１】
【図１】本発明の一実施形態の格子構造が備える格子本体と制御ユニットを示す正面図である。
【図２】同上の格子本体での通風を説明する概略図である。
【図３】同上の格子本体に備える仕切板の要部を示す分解斜視図である。
【図４】同上の格子本体の各仕切板を開状態とした場合を示す正面図である。
【図５】図４のＡ−Ａ′線断面図である。
【図６】図４のＢ−Ｂ′線断面図である。
【図７】同上の格子本体の平面図である。
【図８】図７のＣ−Ｃ′線断面図である。
【図９】同上の格子本体の各仕切板を閉状態とした場合を示す正面図である。
【図１０】図９のＤ−Ｄ′線断面図である。
【図１１】図９のＥ−Ｅ′線断面図である。
【発明を実施するための形態】
【００１２】
本発明を、添付図面に示す実施形態に基づいて説明する。図１には、本発明の一実施形態の格子構造の全体を示している。図２では、この格子構造により得られる効果を概略的に説明している。
【００１３】
図１に示すように、本実施形態の格子構造は、住宅の開口部に設置される格子本体２と、この格子本体２への液体供給を制御する制御ユニット４とを備える。
【００１４】
まず、格子本体２の構造について説明する。
【００１５】
格子本体２は、前記開口部の周縁に設置される正面視矩形状の枠体６と、枠体６内に多数配置される長板状の仕切板８とを備える。仕切板８は、上下方向に所定の隙間をあけて互いに平行に配置され、その短手方向の一端部を、枠体６に対して回動自在に連結させている。
【００１６】
仕切板８は、その長手方向が左右方向と平行になるように配置される。仕切板８の回動中心軸１００（図２、図３等参照）の軸方向は、左右方向と平行である。なお、本文中で用いる左右方向は、枠体６を正面から視たときを基準とする。
【００１７】
仕切板８は、その厚み方向の一方に、緩やかに膨らむ凸曲面状の第一表面１０を有し、厚み方向の他方に、緩やかにへこむ凹曲面状の第二表面１２を有する（図２等参照）。仕切板８の第一表面１０が上方を向き、且つ、第二表面１２が下方を向く回動位置が、仕切板８の「開位置」である。
【００１８】
これに対して、仕切板８の第一表面１０が屋外側を向き、且つ、第二表面１２が屋内側を向く回動位置が、仕切板８の「閉位置」である（図９、図１０等参照）。
【００１９】
図２に示すように、各仕切板８が開位置にあるとき、上下に隣接する仕切板８間に、屋外側と屋内側を連通させる通風空間１４がそれぞれ形成される。
【００２０】
図３に示すように、仕切板８は、外郭をなすカバー部材１６と、このカバー部材１６内に充填される多孔質部材１８とを有する。カバー部材１６は、左右の側面が開口したカバー本体２０と、カバー本体２０の左右の開口を塞ぐ側面止水蓋２２とから成る。
【００２１】
多孔質部材１８はスポンジから成り、液体供給用の配液チューブ２４が挿通される挿通孔２６を左右方向に貫通形成している。仕切板８の回動中心軸１００は、この挿通孔２６内を通過するように設定する。配液チューブ２４には、挿通孔２６内に配される部分にのみ、液体を外部に染み出す多数の微細孔を設ける。
【００２２】
この仕切板８の外郭をなすカバー本体２０の一方の表面が、仕切板８の第一表面１０となる。カバー本体２０の第一表面１０とは反対側の表面が、仕切板８の第二表面１２となる。第一表面１０には、多数の液体保持部２８を形成している。液体保持部２８は、それぞれ左右方向に伸びる一直線状の凹溝であり、仕切板８の短手方向に所定の隙間をあけて、互いに平行に配置されている。
【００２３】
液体保持部２８の溝底には、それぞれ多数の給液孔３０を貫通形成している。給液孔３０は、左右方向に所定の隙間をあけて、液体保持部２８の全長又は略全長に亘って均等に分散配置される。
【００２４】
図４〜図８は、各仕切板８が開位置にあるときの格子本体２を、概略的に示している。図４は格子本体２の正面図であり、図５は図４のＡ−Ａ′線断面図、図６は図４のＢ−Ｂ′線断面図である。図７は格子本体２の平面図であり、図８は図７のＣ−Ｃ′線断面図である。
【００２５】
図８等に示すように、各仕切板８に挿通される配液チューブ２４は、制御ユニット４から伸びる一本のチューブ３２から分岐し、各仕切板８の内部を通過した下流側の箇所にて合流し、この合流箇所から更に下流側の箇所に終端を有する。
【００２６】
各仕切板８は、枠体６内に設置される開閉機構によって、開位置と閉位置の間で回転駆動される。この開閉機構は、駆動モータ３６と、この駆動モータ３６の回転を各仕切板８に伝達する伝達部３８から成る。
【００２７】
各仕切板８が閉位置にあるときの格子本体２を、図９〜図１１に示している。図９は格子本体２の正面図、図１０は図９のＤ−Ｄ′線断面図、図１１は図９のＥ−Ｅ′断面図である。
【００２８】
伝達部３８は、駆動モータ３６によって回転駆動される第一ピニオン４０と、第一ピニオン４０に噛み合って上下方向に往復駆動されるラック４２と、ラック４２と噛み合うように上下方向に隙間をあけて多数配置される第二ピニオン４４とを有する。第二ピニオン４４は、仕切板８と一対一で結合し、仕切板８と一体に回動する。
【００２９】
次に、制御ユニット４について説明する。
【００３０】
図１に示すように、制御ユニット４は、格子本体２とは別体に設置される。制御ユニット４は、貯液タンク４６と、この貯液タンク４６内の液体をチューブ３２に送り出すポンプ４８と、ポンプ４８に供給する電力を蓄えるバッテリ５０と、バッテリ５０からポンプ４８への電力供給を制御する制御部５２とを備える。
【００３１】
貯液タンク４６には、蒸発によって空気を冷却することのできる液体として、水を貯留する。ここで貯留する水は、水道水であってもよいし、蒸留水等の純水であってもよい。また、適宜の添加剤を加えた水であってもよい。添加剤としては、ハッカ油等の害虫忌避剤を用いることが可能である。
【００３２】
これら制御ユニット４や各チューブ３２，２４、各仕切板８の多孔質部材１８や給液孔３０により、各仕切板８が有する凹溝状の液体保持部２８にまで液体を供給する液供給機構が形成される。
【００３３】
制御部５２は、ポンプ４８を駆動して貯液タンク４６内の水をチューブ３２に送り出し、分岐する多数の配液チューブ２４を通じて、各仕切板８内の多孔質部材１８内に水を供給する。スポンジである多孔質部材１８内に水が充填されると、微小径である多数の給液孔３０を通じて、各仕切板８の第一表面１０上にある多数の液体保持部２８にまで水が供給される。ここで供給された水は、細溝である液体保持部２８内に保持され、各仕切板８が開位置にあるときに、液体保持部２８に保持される水が上方の通風空間１４に対して露出する（図２参照）。
【００３４】
このとき、屋外側から通風空間１４を通じて屋内側に導入される空気は、通風空間１４を通過する段階で、液体保持部２８内の水の蒸発によって冷やされ、清涼感を有する風となる。
【００３５】
つまり、図２に示すように、通風空間１４内に導入される風２００が高温であっても、多数の液体保持部２８が露出する通風空間１４を通過する際に冷却され、清涼感の高い風３００となって屋内側に導入される。
【００３６】
また、上述したように、ハッカ油等の害虫忌避剤を添加した水を貯液タンク４６内に供給した場合には、この格子本体２に蜘蛛、蛾等の害虫が巣や繭を作るという事態を抑えることができ、また、通風空間１４から害虫が侵入するという事態を抑えることができる。住宅の格子構造においては、蜘蛛、蛾等の害虫が格子構造に巣や繭を作るという問題や、格子構造を通じて害虫が侵入するという問題が存在するが、供給する水に害虫忌避剤を添加することで、これらの問題が併せて解決される。
【００３７】
各仕切板８の液体保持部２８に保持させる水量は、制御ユニット４でポンプ４８の駆動を制御し、各仕切板８内の多孔質部材１８に水を送り込む圧力を制御することによって、コントロールすることができる。仮に、液体保持部２８に対して水が過剰に供給された場合であっても、過剰分の水は、格子本体２の枠体６が有する図示略の溝を伝って排水される。
【００３８】
なお、格子本体２での各仕切板８の開閉制御（すなわち駆動モータ３６の制御）を、制御ユニット４が備える制御部５２で行ってもよいし、制御部５２とは別の制御手段で行ってもよい。
【００３９】
また、本実施形態では、格子本体２が多数備える仕切板８の全てに液体保持部２８を形成しているが、一部の（少なくとも一つの）仕切板８にだけ液体保持部２８を設けた構造とすることも可能である。
【００４０】
上述したように、本実施形態の格子構造は、住宅の開口部に設置される格子構造である。この格子構造は、互いに平行に配置される複数の仕切板８と、隣接する仕切板８の間に形成される通風空間１４と、少なくとも一つの仕切板８の表面に形成される液体保持部２８と、液体保持部２８にまで液体を供給する液供給機構とを具備する。そして、液体保持部２８を、通風空間１４に露出させるように設けている。
【００４１】
したがって、本実施形態の格子構造によれば、夏場のように外気が高温である場合であっても、通風空間１４を通じて外気を屋内側に導入する段階で、液体保持部２８からの液体の蒸発によって冷却させ、屋内側にて高い清涼感を実現することができる。しかも、このために多大な電力が必要でないことから、環境に与える負荷も小さくて済む。
【００４２】
また、本実施形態の格子構造においては、仕切板８を開閉動作させる開閉機構を具備し、仕切板８が開位置にあるときに、液体保持部２８をこれの上方にある通風空間１４に対して露出させるように設けている。
【００４３】
したがって、本実施形態の格子構造によれば、外気を取り込みたい場合にだけ仕切板８を開位置に回動させてセットし、ここで形成される通風空間１４を通じて、液体の蒸発により冷却された風を屋内側に取り込み、高い清涼感を得ることができる。
【００４４】
また、本実施形態の格子構造では、液供給機構を、害虫忌避剤が添加された液体を液体保持部にまで供給する機構とすることも可能である。
【００４５】
この場合には、上述のように高い清涼感が得られることに加えて、蜘蛛、蛾等の害虫が巣や繭を作ることを抑制することができ、また、通風空間１４を通じて害虫が侵入することを抑制することができる。
【００４６】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００４７】
２  格子本体
４  制御ユニット
６  枠体
８  仕切板
１０  第一表面
１４  通風空間
２８  液体保持部
【図１】
2014134041.tif 000003
【図２】
2014134041.tif 000004
【図３】
2014134041.tif 000005
【図４】
2014134041.tif 000006
【図５】
2014134041.tif 000007
【図６】
2014134041.tif 000008
【図７】
2014134041.tif 000009
【図８】
2014134041.tif 000010
【図９】
2014134041.tif 000011
【図１０】
2014134041.tif 000012
【図１１】
2014134041.tif 000013